(57)【要約】【課題】局所的に風向を調整することにより、使用者への不快感を軽減しつつ、イオンを十分に供給することができるイオン発生機を提供する。【解決手段】イオン発生機１は、吸込口１０と吹出口２０とを接続する送風経路４０と、送風機３０と、イオン発生装置５０と、吹出口２０に設けられた格子状のルーバーとを備え、送風経路４０は、吹出口２０と送風機３０との間に湾曲部分を含み、ルーバーに設けられた風向調整部６０は、ルーバーの左右方向の中央領域であって、上下方向の途中領域に設けられることにより吹出口２０を上側吹出口２８と下側吹出口２９とに区画し、イオン発生装置５０は、湾曲部分の下方側に設けられ、湾曲部分において下側吹出口２９に対応する空間は、一体の空間として構成されるように分割されておらず、風向調整部６０は、上側吹出口２８から吹き出された風を上方側に案内する。【選択図】図８
2016091645.tif 000002
【特許請求の範囲】
【請求項１】
吹出口および吸込口が設けられた筐体と、
前記筐体内に設けられ、前記吸込口と前記吹出口とを接続する送風経路と、
前記送風経路内に配置され、前記吸込口から吸込んだ空気を前記吹出口に送風する送風機と、
前記送風経路内にイオンを発生させるイオン発生装置と、
前記吹出口に設けられた格子状のルーバーと、を備え、
前記吹出口は、前記筐体の前面に設けられ、
前記送風経路は、前記吹出口と前記送風機との間に下方側から上方側に向かうにつれて前方側へ湾曲する湾曲部分を含み、
前記ルーバーの送風下流側には、風向調整部が設けられ、
前記風向調整部は、前記ルーバーの左右方向の中央領域であって、上下方向の途中領域に設けられることにより、前記中央領域において前記吹出口を上側吹出口と下側吹出口とに区画し、
前記イオン発生装置は、前記湾曲部分の下方側に設けられ、
前記湾曲部分において前記下側吹出口に対応する空間は、一体の空間として構成されるように分割されておらず、
前記風向調整部は、前記上側吹出口から吹き出された風を上方側に案内する、イオン発生機。
【請求項２】
前記風向調整部は、前記ルーバーに着脱可能に取付けられる、請求項１に記載のイオン発生機。
【請求項３】
吹出口および吸込口が設けられた筐体と、
前記筐体内に設けられ、前記吹出口と前記吸込口とを接続する送風経路と、
前記送風経路内にイオンを発生させるイオン発生装置と、
前記送風経路内に配置され、前記吸込口から吸込んだ空気を前記吹出口に送風する送風機と、
前記吸込口の一部に面するように配置された送風機カバーと、
前記吸込口に設置され、複数の開口部を有する吸込グリルと、を備え、
前記吸込グリルのうち前記送風機カバーに面さない部分は、指先の侵入を防止するように形成された複数の開口部によって構成され、
前記吸込グリルのうち前記送風機カバーに面する部分は、指先が侵入可能となるように形成された開口部を含むように構成されている、イオン発生機。
【請求項４】
吹出口および吸込口が設けられた筐体と、
前記筐体内に収容され、前記吹出口と前記吸込口とを接続する送風経路と、
前記送風経路内にイオンを発生させるイオン発生装置と、
前記送風経路内に配置され、前記吸込口から吸い込んだ空気を前記吹出口に送風する送風機と、
前記筐体を上下方向に移動可能に支持する脚部と、を備え、
前記脚部は、床面に載置される土台部を含み、
前記土台部を足で踏み込んだ状態で前記筐体を昇降した場合に、前記筐体の底面部と足とが接触しないように構成されている、イオン発生機。
【請求項５】
吹出口および吸込口が設けられた筐体と、
前記筐体内に収容され、前記吹出口と前記吸込口とを接続する送風経路と、
前記送風経路内にイオンを発生させるイオン発生装置と、
前記送風経路内に配置され、前記吸込口から吸い込んだ空気を前記吹出口に送風する送風機と、
前記筐体を上下方向に移動可能に支持する脚部と、を備え、
前記脚部は、床面に設置される土台部を含み、
前記筐体を昇降させる際に、前記土台部の上面側に前記土台部を足で踏み込むことを防止する突起状部分を含む踏込防止手段が設けられている、イオン発生機。
【発明の詳細な説明】
【技術分野】
【０００１】
本発明は、筐体に設けられた吹出口からイオンを含む空気を吹出すイオン発生機に関する。
【背景技術】
【０００２】
従来より、床面に設置されるイオン発生機が開発されている。床面設置型のイオン発生機が開示された文献として、たとえば特開平１１−１６７９７５号公報（特許文献１）を挙げることができる。
【０００３】
特許文献１に開示のイオン発生機は、筐体内に収容された水槽内に貯留された水を利用してマイナスイオンを発生させ、筐体の底部に設けられた吸込口から吸い込んだ空気に当該マイナスイオンを付与する。マイナスイオンを付与された空気が、筐体の上面に設けられた吹出口から外部に吹出される。
【先行技術文献】
【特許文献】
【０００４】
【特許文献１】特開平１１−１６７９７５号公報
【発明の概要】
【発明が解決しようとする課題】
【０００５】
特許文献１に開示のような床面設置型のイオン発生機は、室内の所定の位置に設置された状態で使用されるため、使用者が一定の位置に留まっているような場合には、イオン発生機と使用者との位置関係によっては、イオン発生機から吹き出される風が使用者に対して常に当たる場合がある。このため、使用者が不快に感じる場合がある。
【０００６】
しかしながら、単に風向を変更するのみでは、イオンを室内に供給することができず、イオンの供給と不快感の低減とを両立させることが困難であった。
【０００７】
また、吸込口には、使用者の指等が侵入することを防止しつつ、空気を吸い込み可能に設けられた吸込グリルが設置される。このような吸込グリルは、たとえば複数の開口部を有する格子状に形成され、締結部材等によって吸込口に取付けられている。
【０００８】
空気中には塵や埃等が含まれるため、使用期間が長くなると、吸込グリルの開口部が塵や埃等によって目詰まりしたり、汚染されたりする場合がある。また、防塵フィルタを設ける場合であっても、吸込グリルのみならず筐体内部も汚染される場合がある。このような場合には、吸込グリルを取り外して、吸込グリル自体や筐体内部を清掃する必要がある。
【０００９】
しかしながら、上述のように吸込グリルの開口部には使用者の指を侵入させることができず、吸込グリルの外枠と吸込口の内周面との間にも十分な隙間が設けられていない。このため、何ら手立てがない場合には、吸込グリルの取り外しに手間が掛かってしまう。
【００１０】
また、より高い位置に風を送出したいとのニーズもあり、吹出口の位置を変更するために、筐体の高さ位置が可変に調整されることが望まれる。しかしながら、筐体のサイズが大きくなる場合には重量が重くなり、作業が困難となる。このため、重い筐体を昇降させるために、使用者が筐体を支持する土台部に足を踏み込んで踏ん張る場合がある。このような場合には、何ら手立てがないと、筐体を昇降させる際に、使用者が筐体と土台部との間に足を挟み込むことが懸念される。
【００１１】
本発明は、上記のような問題に鑑みてなされたものであり、本発明の第１の目的は、局所的に風向を調整することにより、使用者への不快感を軽減しつつ、イオンを十分に供給することができるイオン発生機を提供することにある。
【００１２】
本発明の第２の目的は、安全性を確保しつつ、吸込口に設置される吸込グリルの取り外しを容易に行なうことができ、清掃等の作業性を向上させることができるイオン発生機を提供することにある。
【００１３】
本発明の第３の目的は、筐体を昇降させる際に、安全性を確保することができるイオン発生機を提供することにある。
【課題を解決するための手段】
【００１４】
本発明の第１の局面に基づくイオン発生機は、吹出口および吸込口が設けられた筐体と、筐体内に設けられ、吸込口と吹出口とを接続する送風経路と、送風経路内に配置され、吸込口から吸込んだ空気を吹出口に送風する送風機と、送風経路内にイオンを発生させるイオン発生装置と、吹出口に設けられた格子状のルーバーと、を備え、吹出口は、筐体の前面に設けられ、送風経路は、吹出口と送風機との間に下方側から上方側に向かうにつれて前方側へ湾曲する湾曲部分を含み、ルーバーの送風下流側には、風向調整部が設けられ、風向調整部は、ルーバーの左右方向の中央領域であって、上下方向の途中領域に設けられることにより、中央領域において吹出口を上側吹出口と下側吹出口とに区画し、イオン発生装置は、湾曲部分の下方側に設けられ、湾曲部分において下側吹出口に対応する空間は、一体の空間として構成されるように分割されておらず、風向調整部は、上側吹出口から吹き出された風を上方側に案内する。
【００１５】
上記本発明の第１の局面に基づくイオン発生機にあっては、風向調整部は、ルーバーに着脱可能に取付けられることが好ましい。
【００１６】
本発明の第２の局面に基づくイオン発生機は、吹出口および吸込口が設けられた筐体と、筐体内に設けられ、吹出口と吸込口とを接続する送風経路と、送風経路内にイオンを発生させるイオン発生装置と、送風経路内に配置され、吸込口から吸込んだ空気を吹出口に送風する送風機と、吹出口の一部に面するように配置された送風機カバーと、吸込口に設置され、複数の開口部を有する吸込グリルと、を備え、吸込グリルのうち送風機カバーに面さない部分は、指先の侵入を防止するように形成された複数の開口部によって構成され、吸込グリルのうち送風機カバーに面する部分は、指先が侵入可能となるように形成された開口部を含むように構成されている。
【００１７】
本発明の第３の局面に基づくイオン発生機は、吹出口および吸込口が設けられた筐体と、筐体内に収容され、吹出口と吸込口とを接続する送風経路と、送風経路内にイオンを発生させるイオン発生装置と、送風経路内に配置され、吸込口から吸い込んだ空気を吹出口に送風する送風機と、筐体を上下方向に移動可能に支持する脚部と、を備え、脚部は、床面に載置される土台部を含み、土台部を足で踏み込んだ状態で筐体を昇降した場合に、筐体の底面部と足とが接触しないように構成されている。
【００１８】
本発明の第３の局面に基づく他のイオン発生機は、吹出口および吸込口が設けられた筐体と、筐体内に収容され、吹出口と吸込口とを接続する送風経路と、送風経路内にイオンを発生させるイオン発生装置と、送風経路内に配置され、吸込口から吸い込んだ空気を吹出口に送風する送風機と、筐体を上下方向に移動可能に支持する脚部と、を備え、脚部は、床面に設置される土台部を含み、筐体を昇降させる際に、土台部の上面側に土台部を足で踏み込むことを防止する突起状部分を含む踏込防止手段が設けられている。
【発明の効果】
【００１９】
本発明の第１の局面によれば、局所的に風向を調整することにより、使用者への不快感を軽減しつつ、イオンを十分に供給することができるイオン発生機を提供することができる。
【００２０】
本発明の第２の局面によれば、安全性を確保しつつ、吸込口に設置される吸込グリルの取り外しを容易に行なうことができ、清掃等の作業性を向上させることができるイオン発生機を提供することができる。
【００２１】
本発明の第３の局面によれば、昇降作業時の安全性を確保することができるイオン発生機を提供することができる。
【図面の簡単な説明】
【００２２】
【図１】実施の形態１に係るイオン発生機の斜視図である。
【図２】実施の形態１に係るイオン発生機の正面図である。
【図３】実施の形態１に係るイオン発生機の背面図である。
【図４】実施の形態１に係るイオン発生機の上面図である。
【図５】実施の形態１に係るイオン発生機の底面図である。
【図６】実施の形態１に係るイオン発生機の左側面図である。
【図７】実施の形態１に係るイオン発生機の右側面図である。
【図８】図２に示すＶＩＩＩ−ＶＩＩＩ線に沿った断面図である。
【図９】実施の形態１に係る外付けルーバーの斜視図である。
【図１０】実施の形態１に係る外付けルーバーの正面図である。
【図１１】実施の形態１に係る外付けルーバーの背面図である。
【図１２】実施の形態１に係る外付けルーバーの上面図である。
【図１３】実施の形態１に係る外付けルーバーの底面図である。
【図１４】実施の形態１に係る外付けルーバーの左側面図である。
【図１５】実施の形態１に係る外付けルーバーの右側面図である。
【図１６】比較例１におけるイオン発生機から送風される空気流を示す図である。
【図１７】比較例１におけるイオン発生機から送風される空気流の所定の位置における風速分布を示す図である。
【図１８】比較例１におけるイオン発生機から送風される空気流に含まれるイオンの濃度分布を示す図である。
【図１９】比較例２におけるイオン発生機から送風される空気流を示す図である。
【図２０】比較例２におけるイオン発生機から送風される空気流の所定の位置における風速分布を示す図である。
【図２１】比較例２におけるイオン発生機から送風される空気流に含まれるイオンの濃度分布を示す図である。
【図２２】実施の形態１に係るイオン発生機から送風される空気流を示す図である。
【図２３】実施の形態１に係るイオン発生機から送風される空気流の所定の位置における風速分布を示す図である。
【図２４】実施の形態１に係るイオン発生機から送風される空気流に含まれるイオンの濃度分布を示す図である。
【図２５】実施の形態１に係るイオン発生機の筐体を昇降させる場合における筐体と足との関係を示す図である。
【図２６】実施の形態２に係るイオン発生機の底面図である。
【図２７】実施の形態３に係るイオン発生機の右側面図である。
【図２８】実施の形態４に係る外付けルーバーの斜視図である。
【図２９】実施の形態４に係る外付けルーバーの正面図である。
【図３０】実施の形態４に係る外付けルーバーの背面図である。
【図３１】実施の形態４に係る外付けルーバーの上面図である。
【図３２】実施の形態４に係る外付けルーバーの底面図である。
【図３３】実施の形態４に係る外付けルーバーの左側面図である。
【図３４】実施の形態４に係る外付けルーバーの右側面図である。
【発明を実施するための形態】
【００２３】
以下、本発明の実施の形態について、図を参照して詳細に説明する。なお、以下に示す実施の形態においては、同一のまたは共通する部分について図中同一の符号を付し、その説明は繰り返さない。
【００２４】
（実施の形態１）
図１から図７は、本実施の形態に係るイオン発生機の斜視図、正面図、背面図、上面図、底面図、左側面図および右側面図である。図８は、図２に示すＶＩＩＩ−ＶＩＩＩ線に沿った断面図である。図１から図８を参照して、本実施の形態に係るイオン発生機１について説明する。なお、図３においては、便宜上のため吸込グリルに取付けられるエアフィルタの図を省略している。
【００２５】
図１から図８に示すように、本実施の形態に係るイオン発生機１は、筐体２、脚部３、送風経路４０（図８参照）、送風機３０（図８参照）、イオン発生装置５０、およびルーバー２１を備える。
【００２６】
筐体２は、左側面部２ａ、右側面部２ｂ、底面部２ｃを含む。左側面部２ａおよび右側面部２ｂは、左右方向（Ｘ軸方向）に幅を持って設けられている。左側面部２ａおよび右側面部２ｂは、内部に脚部３の一部（後述する支柱部４）を収容する収容空間を有する。
【００２７】
脚部３は、筐体２を上下方向（Ｚ軸方向）に移動可能に支持する。脚部３は、筐体２の左側および右側にそれぞれ設けられている。脚部３は、支柱部４および土台部５を含む。土台部５は、床面に設置される部分である。土台部５は、前後方向（Ｙ軸方向）に延在する。支柱部４は、板状形状を有し、土台部５の上面から上方に延在するように設けられている。
【００２８】
支柱部４は、水平方向（Ｘ軸方向）において左側面部２ａの内面および右側面部２ｂの内面に対向する主面を有する。当該主面には、上下方向に延在する溝部４ａが設けられている。溝部４ａには、左右方向に貫通する複数の挿通孔（不図示）が設けられている。複数の挿通孔は、上下方向に間隔をあけて設けられている。
【００２９】
当該挿通孔には、筐体２の左側面部２ａおよび右側面部２ｂに設けられた貫通孔を介してネジ等の固定部材６が挿入されている。筐体２の位置を調整する場合には、当該貫通孔を所定の高さ位置にある挿通孔に合わせて固定部材６をこれら挿通孔および貫通孔に挿入する。その後、当該固定部材６を締め付けることにより、筐体２を所定の高さ位置に締め付け固定することができる。
【００３０】
筐体２の底面部２ｃには、吸込口１０が設けられている。吸込口１０には、複数の開口部を有する吸込グリル１１が取り付けられている。これら、複数の開口部１２は指先等の異物の侵入を防止できる大きさに構成されている。吸込グリル１１には後述するエアフィルタ１５（図８参照）が取り付けられている。
【００３１】
筐体２の前面上部には、吹出口２０が設けられている。吹出口２０には、格子状のルーバー２１が設けられている。ルーバー２１は、第１整流部２２および第２整流部２３を有する。
【００３２】
第１整流部２２は、吹出口２０を左右方向に８分割する縦整流板２２ａ〜２２ｇによって構成されている。縦整流板２２ｄは、吹出口２０の左右方向における略中央に設けられている。縦整流板２２ａ〜２２ｃおよび縦整流板２２ｅ〜２２ｇは、後方から前方に向かうにつれて、左右方向において縦整流板２２ｄから離れる方向に湾曲する。
【００３３】
具体的には、縦整流板２２ａ〜２２ｃは、後方から前方に向かうにつれて左側に湾曲する。また、縦整流板２２ａ〜２２ｃは、左右方向において吹出口２０の中央側から外側に向かうにつれて湾曲具合が大きくなるように設けられている。縦整流板２２ａの湾曲具合は、縦整流板２２ｂ，２２ｃの湾曲具合よりも大きく、縦整流板２２ｂの湾曲具合は、縦整流板２２ｃよりも大きい。
【００３４】
縦整流板２２ｅ〜２２ｇは、後方から前方に向かうにつれて右側に湾曲する。また、縦整流板２２ｅ〜２２ｇは、左右方向において吹出口の中央側から外側に向かうにつれて湾曲具合が大きくなるように設けられている。縦整流板２２ｇの湾曲具合は、縦整流板２２ｅ，２２ｆの湾曲具合よりも大きく、縦整流板２２ｆの湾曲具合は、縦整流板２２ｅの湾曲具合よりも大きい。
【００３５】
第２整流部２３は、吹出口２０を上下方向に４分割する横整流板２３ａ〜２３ｃによって構成されている。横整流板２３ｂは、吹出口２０の上方方向における略中央に設けられている。横整流板２３ａ〜２３ｃは、上下方向における横整流板２３ａ〜２３ｃ間の間隔が後方側から前方側に向かうにつれて大きくなるように設けられている（図８参照）。
【００３６】
また、ルーバー２１の前方側（送風下流側）には、風向調整部としての外付けルーバー６０が設けられている。外付けルーバー６０は、ルーバー２１に着脱可能に設けられている。
【００３７】
なお、外付けルーバー６０は、ルーバーに着脱可能に取り付けられる構成に限られず、ルーバー２１と風向調整部としての外付けルーバー６０とが射出形成等により一体に構成されていてもよい。
【００３８】
外付けルーバー６０は、ルーバー２１の左右方向の中央領域Ｒ２に設けられている。中央領域Ｒ２は、ルーバー２１の左右方向の全体領域Ｒ１の中心線Ｃ１を中心として、左右方向に所定の幅を持った領域である。中央領域Ｒ２の左右方向の幅は、たとえば全体領域Ｒ１の２／３以下であり、１／５以上であることが好ましい。
【００３９】
また、外付けルーバー６０は、当該中央領域Ｒ２内において、上下方向の途中領域Ｒ４
に設けられる。途中領域Ｒ４とは、中央領域Ｒ２のうち、中央領域Ｒ２の上下方向の端部、すなわち吹出口２０の上端および下端を除く部分である。なお、途中領域Ｒ４は、中央領域Ｒ２の上下方向の中心線Ｃ２以上の高さ位置であることが好ましい。ここで、外付けルーバー６０が途中領域Ｒ４に設けられるとは、後述する外付けルーバー６０の風向調整板部６１ａ，６１ｂ（図９参照）の後端が途中領域Ｒ４内に位置することを意味する。
【００４０】
外付けルーバー６０は、中央領域Ｒ２であって、上下方向の途中領域Ｒ４に設けられることにより、吹出口２０を上側吹出口２８（図８参照）と、下側吹出口２９（図８参照）とに分割する。外付けルーバー６０は、上側吹出口２８から吹き出された風を上方側に案内する。外付けルーバー６０の詳細な構造については、図９から図１５を参照して、後述する。
【００４１】
続いて、図８を参照して、イオン発生機１の内部構造について説明する。送風経路４０は、筐体２内に設けられ、吸込口１０と吹出口２０とを接続する。送風経路４０内には、送風機３０が配置される。
【００４２】
送風経路４０は、吸込口１０から送風機３０までに至る第１部分４１と、送風機３０から吹出口２０までに至る第２部分４２とを含む。第２部分４２は、下方側から上方側に向かうにつれて前方側へ湾曲するように設けられている。第２部分４２は、送風経路４０に含まれる湾曲部分に相当する。
【００４３】
送風経路４０の第２部分４２は、送風方向に沿って前方に向かうにつれて上下方向に広がるように構成されている。これに伴って、吹出口２０の上下方向の端部を規定する筐体２の内壁も、送風方向に沿って前方に向かうにつれて上下方向に広がるように設けられる。また、吹出口２０の左右方向の端部を規定する筐体２の内壁は、送風方向に沿って前方に向かうにつれて左右方向に広がるように構成されている。これにより、吹出口２０から上下方向および左右方向に広がった空気流を送出することができる。
【００４４】
送風経路４０の一部は、送風機３０の筐体（送風機カバー）３１によって構成されている。送風機カバー３１は、吸込口１０の後方側の一部に面しつつ第１部分４１の一部を構成する部分３１ａと、第２部分４２の送風下流側の一部を構成する部分３１ｂとを含む。
【００４５】
送風機３０は、たとえば、回転中心に対し外縁側が回転方向へ変位する複数の羽根を有する円筒形状をなす多翼羽根車を有するクロスフローファンである。送風機３０は、回転軸がイオン発生機１の左右方向となるように配置されている。送風機３０は、モータ等の駆動源（不図示）の出力軸に固定され、駆動源の駆動によって回転する。
【００４６】
送風機３０が回転することにより、室内の空気は、吸込口１０から送風経路４０内に吸入される。吸入された空気は、送風経路４０の第１部分４１から第２部分４２へ通流し、吹出口２０を通じて室内へ送出される。
【００４７】
送風経路４０内には、導風板４５が設けられている。導風板４５は送風方向に沿って設けられ、送風経路４０の第２部分４２に対応して、下方側から上方側に向かうにつれて前方に湾曲するように設けられている。導風板４５は、送風経路４０を上方側に位置する第１経路４６と下方側に位置する第２経路４７との２つに分割する。
【００４８】
第１経路４６は、上方側に位置する第１吹出口２６に連通する。第２経路４７は、下方側に位置する第２吹出口２７に連通する。第２経路４７内には、第２部分４２のうち第２吹出口２７に対応する空間Ｓが形成される。第２経路４７は、当該空間Ｓが一体の空間として構成されるように分割されていない。
【００４９】
筐体２内には、イオン発生装置５０を収容する収容室９が設けられている。収容室９の前方側は、蓋部８によって覆われている。蓋部８は、開閉可能に設けられている。蓋部８を開放して、イオン発生装置５０を差し込むことにより、イオン発生装置５０が収容室９の所定の位置に設置される。
【００５０】
収容室９は、筐体２内において、送風経路４０の第２部分４２の下方側に設けられている。これにより、イオン発生装置５０も第２部分４２の下方側に配置されることになる。イオン発生装置５０は、カートリッジ式として、送風経路４０の第２部分４２の一部を構成するように着脱自在に収容室９内に収容される。
【００５１】
イオン発生装置５０は、２つのイオン発生素子部５１，５２を含む。イオン発生素子部５１，５２は、放電電極と誘導電極とを備え、これらの間に大きな電位差を生じさせることでイオンを発生させることができる。
【００５２】
イオン発生素子部５１，５２のそれぞれは、プラスイオンを発生するプラスイオン発生部およびマイナスイオンを発生するマイナスイオン発生部を有する。イオン発生素子部５２は、イオン発生素子部５１の送風下流側においてこれに対応する位置に設けられている。
【００５３】
イオン発生装置５０の上面の一部は、送風経路４０の送風面に合致した形状とすることが好ましい。このように、イオン発生装置５０の上面の一部にて送風経路４０の第２部分４２を規定することにより、プラスイオンおよびマイナスイオンの挙動に乱れを生じさせることなく、送風方向に沿ってプラスイオンおよびマイナスイオンを送出することができる。
【００５４】
イオン発生装置５０は、左右方向に複数並べて配置されている。プラスイオン発生部５１ａおよびマイナスイオン発生部５１ｂとは、送風方向に交差する方向に互いに距離を持って配置されている。
【００５５】
複数のイオン発生装置５０は、縦整流板２２ａ〜２２ｇによって分割されて左右方向に並ぶ列単位の吹出口に対応する空間に対してプラスイオン発生部５１ａおよびマイナスイオン発生部５１ｂが交互に面するように配置される。
【００５６】
また、イオン発生素子部５１のプラスイオン発生部５１ａの送風下流側には、イオン発生素子部５２のマイナスイオン発生部が配置され、イオン発生素子部５１のマイナスイオン発生部５１ｂの送風下流側には、イオン発生素子部５２のプラスイオン発生部が配置されている。
【００５７】
このように、列単位の吹出口に対応する空間毎に送風方向にプラスイオン発生部およびマイナスイオン発生部を互いに距離を持って配置することにより、プラスイオンおよびマイナスイオンの発生直後の衝突を抑制しつつ、これらを混在させて機外へ送出することができる。
【００５８】
さらに、縦整流板２２ａ〜２２ｇは、上述のように中央に位置する縦整流板２２ｄの正面に対しての角度を０とし、外側に向かうにつれて徐々に大きな角度で湾曲するため、プラスイオンおよびマイナスイオンを含む空気を広角度に吹出すことができる。これにより、プラスイオンおよびマイナスイオンを室内の遠くまで送出することができる。
【００５９】
図９から図１５は、外付けルーバー６０の斜視図、正面図、背面図、上面図、底面図、左側面図、右側面図である。図９から図１５を参照して、外付けルーバー６０の形状について説明する。
【００６０】
図９から図１５に示すように、外付けルーバー６０は、第１風向調整部６０ａ、第２風向調整部６０ｂおよび連結部６７を含む。第１風向調整部６０ａは、縦整流板２２ｃ，２２ｄおよび横整流板２３ａ，２３ｂに囲まれる部分の吹出口に装着される部位であり、第２風向調整部６０ｂは、縦整流板２２ｄ，２２ｅおよび横整流板２３ａ，２３ｂに囲まれる部分の吹出口に装着される部位である。
【００６１】
第１風向調整部６０ａは、風向調整板部６１ａ、装着部６２ａおよび開口部６３ａを含む。風向調整板部６１ａは、縦整流板２２ｃ，２２ｄおよび横整流板２３ａ，２３ｂに囲まれる部分の吹出口の上下方向における途中部に設けられる。風向調整板部６１ａは、当該吹出口の出口側から前方へ突出するように設けられている。風向調整板部６１ａは、装着時において左右方向の幅が縦整流板２２ｃから縦整流板２２ｄに至るように構成されている。
【００６２】
風向調整板部６１ａは、後方側から前方側へ向かうにつれて上方に湾曲するように設けられている。風向調整板部６１ａは、下面側が凸となり、上面側が凹となるように湾曲する。このような形状を有することにより、当該吹出口から吹出される空気のうち風向調整板部６１ａよりも上方側に位置する空気を上方に向けて送風することができる。なお、風向調整板部６１ａの形状は、上記のような湾曲形状に限定されず、後方から前方へ向かうにつれて上方へ傾斜する傾斜形状であってもよい。
【００６３】
装着部６２ａは、略枠状に設けられている。装着部６２ａは、左側側壁部６４ａ、右側側壁部６５ａ、および底面部６６ａを含む。左側側壁部６４ａは、縦整流板２２ｃに沿うように設けられている。左側側壁部６４ａの先端は、後方に向けて折り返されている。これにより、左側側壁部６４ａの先端側には、縦整流板２２ｃの先端に引っ掛かる係止部６４ａ１が設けられている。
【００６４】
右側側壁部６５ａは、縦整流板２２ｄの前方側の一部に沿うように設けられている。右側側壁部６５ａの前方側から後方側にかけての奥行は、左側側壁部６４ａの前方側から後方側へかけての奥行よりも短くなっている。また、左側側壁部６５ｂの先端は、後方に向けて折り返されている。これにより、右側側壁部６４ｂの先端側には、縦整流板２２ｄの先端に引っ掛かる係止部６５ａ１が設けられている。
【００６５】
底面部６６ａは、横整流板２３ｂに沿うように設けられている。底面部６６ａには、後方側に切欠き部６６ａ１が設けられている。切欠き部６６ａ１には、装着時に横整流板２３ｂに設けられた突起部（不図示）が嵌り込む。これにより、位置決めを容易に行なうことができる。
【００６６】
開口部６３ａは、枠状の装着部６２ａの内周面によって規定される部分である。開口部６３ａは、縦整流板２２ｃ，２２ｄおよび横整流板２３ａ，２３ｂに囲まれる部分の吹出口に連通するように設けられている。
【００６７】
第２風向調整部６０ｂは、風向調整板部６１ｂ、装着部６２ｂおよび開口部６３ｂを含む。風向調整板部６１ｂは、装着時において左右方向の幅が縦整流板２２ｅから縦整流板２２ｄに至るように構成されている。装着部６２ｂは、右側側壁部６４ｂ、左側側壁部６５ｂ、底面部６６ｂを含む。第２風向調整部６０ｂは、ほぼ鏡面対象にした構成である。第２風向調整部６０ｂの各構成部分は、第１風向調整部６０ａとほぼ同様の機能を有する。
【００６８】
連結部６７は、第１風向調整部６０ａと第２風向調整部６０ｂとを連結する。連結部６７を設けることにより、第１風向調整部６０ａと第２風向調整部６０ｂとを同時にルーバー２１に装着することができる。このため、第１風向調整部６０ａと第２風向調整部６０ｂとを個別にルーバー２１に装着する場合と比較して、装着の手間が省ける。なお、連結部６７は省略してもよい。
【００６９】
上記の構成のイオン発生機１において、イオン発生装置５０および送風機３０が駆動されると、室内の空気が吸込口１０から筐体２内に取り込まれる。筐体２内に取り込まれた空気は、エアフィルタ１５で塵埃が捕集され、送風経路４０の第１部分４１を通って送風機３０に導かれる。
【００７０】
送風機３０は、送風経路４０の第２部分４２に向けて空気（気流）を送風する。送風機３０からの気流は、導風板４５によって第１空気流と第２空気流に分割される。第１空気流は、導風板４５の上方側にある第１経路４６を通って、第１吹出口２６から吹出される。第２空気流は、導風板４５の下方側にある第２経路４７を通って、第２吹出口２７から吹出される。
【００７１】
この間に、イオン発生装置５０のマイナスイオン発生部およびプラスイオン発生部のそれぞれからマイナスイオンおよびプラスイオンが発生される。イオン発生装置５０は、第１経路４６から離れており、第２経路４７側に位置する。このため、第１経路４６を通過する第１空気流よりも第２経路４７を通過する空気流に多くのイオンが含まれることになる。
【００７２】
また、第１経路４６は、第２経路４７よりも外周側にあるため、外周側に位置する第１空気流の風速は、内周側に位置する第２空気流の風速よりも速くなる。このため、第１吹出口２６から吹出される第１空気流は、エアカーテンとして機能し、イオンの上方への拡散を抑制する。
【００７３】
ここで、中央領域Ｒ２（図２参照）においては、外付けルーバー６０が設けられている。外付けルーバー６０は、上側吹出口２８から吹出される空気流、すなわち、第１空気流と第２空気流のうち外付けルーバー６０の上方側と通過する空気流とを上方に向けて案内する。風速の速い空気流が上方に案内されるため、中央領域Ｒ２の正面に使用者が一定時間座っているような場合には、風速の速い空気流が使用者に当たることを防止することができる。
【００７４】
なお、所定の傾斜具合または湾曲具合を有する外付けルーバー６０によって上方に案内される風速の速い空気流もエアカーテンとして機能する。このため、中央領域Ｒ２の下側吹出口２９から吹出される空気流に含まれるイオンの拡散も程よく抑制することができる。これにより、風速の速い空気流が使用者に当たることを防止しつつ、除菌効果を有するイオンを使用者の周辺に運ぶことができる。
【００７５】
続いて、比較例１および比較例２におけるイオン発生機から吹出される空気流および本実施の形態に係るイオン発生機１から吹出される空気流を比較しつつ、本実施の形態１に係るイオン発生機１の効果について説明する。
【００７６】
図１６は、比較例１におけるイオン発生機から送風される空気流を示す図である。図１７は、比較例１におけるイオン発生機から送風される空気流の所定の位置における風速分布を示す図である。図１８は、比較例１におけるイオン発生機から送風される空気流に含まれるイオンの濃度分布を示す図である。図１６から図１８を参照して、比較例１におけるイオン発生機から送出される空気流について説明する。
【００７７】
なお、図１６から図１８の空気流は、イオン発生機の筐体が最下位位置に位置する状態で吹出されるものである。また、図１６および図１８においては、イオン発生機の中心線Ｃ１（図２参照）と前後方向（Ｙ軸方向）とに平行な平面内における空気流およびこれに含まれるイオン濃度を示している。
【００７８】
また、使用者が座っている位置をイオン発生機１の中央領域から前方へ１．０ｍ離れた位置とし、使用者が座った際の頭部の位置を床面から１．２ｍとしている。この頭部の位置を位置Ｐ１と規定する。
【００７９】
比較例１におけるイオン発生機は、実施の形態１に係るイオン発生機１と比較した場合に、外付けルーバー６０を備えていない点において相違する。その他の構成については、ほぼ同様である。
【００８０】
図１６に示すように、比較例１におけるイオン発生機では、外付けルーバー６０が設けられておらず、風速の速い空気流を上方に案内することができない。この場合における空気流の中心線Ｌ１の仰角θ１は、略２９度となる。ここで、空気流の中心線とは、空気流を正面方向に複数に分割していった場合に最も風速が速くなる部分を結んだ線である。
【００８１】
この場合においては、イオン発生機の中央領域Ｒ２（図２参照）の吹出口から吹出される空気流は、上方側が位置Ｐ１を通過するように吹出される。このため、当該吹出口から吹出される空気流は、使用者の頭部近傍に直接当たることになる。
【００８２】
図１７は、イオン発生機の中央から前方へ１．０ｍの位置において、前方方向に直交し、左右方向に平行な平面内の所定の領域における風速分布を示している。当該所定の領域とは、たとえば、上記平面内のうちイオン発生機の中心線に対応する部分を中心として、左右方向に８０ｃｍの幅を有し、上下方向に１４０ｃｍの高さを有する矩形形状の領域である。当該領域の上端は、床面から１４０ｃｍの位置に位置する。
【００８３】
図１７に示すように、風速が１．０ｍ／ｓより大きく１．５ｍ／ｓ以下の範囲であり、最も速くなる空気流Ｆ１は、床面から７０ｃｍ以上１１５ｃｍ以下の範囲内に位置する。風速が０．５ｍ／ｓより大きく１．０ｍ／ｓ以下の範囲であり、次いで速くなる空気流Ｆ２は、床面から６０ｃｍ以上１１５ｃｍ以下の範囲内において最も速い空気流Ｆ２を取り囲むように存在する。風速が０．５ｍ／ｓ以下であり、風速の遅い空気流Ｆ３は、空気流Ｆ２を取り囲むように存在する。
【００８４】
このように、比較例１においては、使用者の頭部近傍に最も風速が速い空気流が当たるため、使用者は、空気流を不快に感じてしまう場合がある。
【００８５】
一方で、図１８に示すように、比較例１におけるイオン発生機は、相当程度のイオンを含む空気を室内の上方に向けて送ることができる。室内の上方に送られたイオンは、時間とともに床面に向けて下降する。このため、室内にイオンを十分に供給することができる。
【００８６】
なお、イオン濃度は、吹出方向に沿って吹出口から離れるにつれて（領域Ａ１から領域Ａ５に向かうにつれて）イオン濃度が順に小さくなる。最もイオン濃度が高く領域Ａ１は、位置Ｐ１よりもやや下方に位置するものの、除菌等の効果を発揮させるために十分な量のイオンを使用者に向けて送出することもできる。
【００８７】
図１９は、比較例２におけるイオン発生機から送風される空気流を示す図である。図２０は、比較例２におけるイオン発生機から送風される空気流の所定の位置における風速分布を示す図である。図２１は、比較例２におけるイオン発生機から送風される空気流に含まれるイオンの濃度分布を示す図である。図１９から図２１を参照して、比較例２におけるイオン発生機から送出される空気流について説明する。
【００８８】
なお、図１９は、図１６に対応する図であり、図２０は、図１７に対応する図であり、図２１は、図１８に対応する図である。図１９から図２１に示す空気流は、比較例１に係るイオン発生機の筐体を最下位位置から３０ｃｍ上方へ移動させた状態で吹出されるものである。
【００８９】
図１９に示すように、比較例２におけるイオン発生機から吹出される空気流の中心線Ｌ２の仰角θ２は、略２７度であり、比較例１の仰角θ１とほぼ同様である。このため、図１９から図２１に示すように、比較例２における空気流の状態は、比較例１における空気流を上方へ３０ｃｍ移動させた状態とほぼ同等となる。
【００９０】
具体的には、図１９に示すように、中心線Ｌ２が位置Ｐ１の若干上方を通過し、図２０に示すように、最も風速の速い空気流Ｆ１の中心が位置Ｐ１の若干上方に位置する。このため、使用者の頭部に最も風速の速い空気流Ｆ１が直接当たることになり、使用者は、空気流を不快に感じてしまう場合がある。
【００９１】
一方で、図２１に示すように、比較例２におけるイオン発生機も相当程度のイオンを含む空気を室内の上方に向けて送ることができる。イオン発生機から所定の距離前方に位置し、当該イオン発生機の中心線と左右方向に平行な平面内を格子状に分割した際に形成される複数の格子点のそれぞれで、イオン濃度を測定した場合におけるイオン濃度の平均値は、比較例１と比較してプラスイオンの濃度およびマイナスイオンの濃度ともに１３％程度の低減に留まっている。
【００９２】
このため、比較例２においても、比較例１同様に室内にイオンを十分に供給できるといえる。また、最もイオン濃度が高くなる領域Ａ１は、位置Ｐ１を含むように吹出方向に広がる。このため、除菌等の効果を発揮させるために十分な量のイオンを使用者に向けて送ることもできる。
【００９３】
図２２は、本実施の形態に係るイオン発生機から送風される空気流を示す図である。図２３は、本実施の形態に係るイオン発生機から送風される空気流の所定の位置における風速分布を示す図である。図２４は、本実施の形態に係るイオン発生機から送風される空気流に含まれるイオンの濃度分布を示す図である。図２２から図２４を参照して、本実施の形態に係るイオン発生機１から吹出される空気流について説明する。
【００９４】
なお、図２２は、図１６に対応する図であり、図２３は、図１７に対応する図であり、図２４は、図１８に対応する図である。図２２から図２４に示す空気流は、イオン発生機１の筐体２が最下位位置に位置する状態から３０ｃｍ上方に移動させた状態で吹出されるものである。
【００９５】
図２２に示すように、外付けルーバー６０を設けることにより、中央領域Ｒ２において吹出口から吹出される空気流が上方へ向かうようになる。この場合においては、空気流の中心線Ｌ３の仰角θ３は、比較例１，２における仰角よりも大きく、略３８度となる。
【００９６】
イオン発生機１の中央領域Ｒ２に位置する吹出口から吹出される空気流は、全体的に位置Ｐ１の上方を通過している。このため、中央領域Ｒ２に位置する吹出口から吹出される空気流は、使用者にほぼ当たらない。
【００９７】
図２３に示すように、次いで風速の速い空気流Ｆ２は、床面から１２０ｃｍの位置よりも上方に位置し、最も速い空気流Ｆ１を取り囲むように存在する。また、風速が遅い空気流Ｆ３が、空気流Ｆ２を取り囲むように存在する。図２３には図示されていないが、最も風速の速い空気流Ｆ１における中心線Ｃ１に対応する位置の下端は、横座標の値が０となる部分における空気流Ｆ１の下端は、１５０ｃｍよりも若干高い位置に位置する。
【００９８】
本実施の形態においては、最も風速が速い空気流Ｆ１は、使用者に当たらずに、風速が遅い、空気流Ｆ３が使用者に当たる。空気流Ｆ３は、使用者に不快感を与えない風である。このため、本実施の形態においては、使用者の不快感を大幅に低減させることができる。
【００９９】
図２４に示すように、本実施の形態に係るイオン発生装置も相当程度のイオンを含む空気を室内の上方に向けて送ることができる。室内の上方に送られたイオンは、時間とともに床面に向けて下降する。
【０１００】
外付けルーバー６０を設けることにより、イオンの拡散具合も比較例１と比較すると若干異なってくる。イオン発生機から所定の距離前方に位置し、当該イオン発生機の中心線と左右方向に平行な平面内を格子状に分割した際に形成される複数の格子点のそれぞれで、イオン濃度を測定した場合におけるイオン濃度の平均値は、比較例１と比較してプラスイオンの濃度およびマイナスイオンの濃度ともに１０％程度の低減に留まっている。このため、実施の形態１に係るイオン発生機１においても室内にイオンを十分に供給できると言える。
【０１０１】
また、最もイオン濃度が高くなる領域Ａ１は、位置Ｐ１を含むように吹出方向に広がっている。このため、除菌等の効果を発揮させるために十分な量のイオンを使用者に向けて送ることもできる。
【０１０２】
なお、筐体２の位置を最下位位置とした場合には、図２３の状態から空気流Ｆ１、空気流Ｆ２、空気流Ｆ３の位置がそれぞれ略３０ｃｍ低くなった位置に位置することになる。この場合には、横座標の値が０となる部分における空気流Ｆ１の下端は、１２０ｃｍよりも若干上に位置する。空気流Ｆ１の下端部は、当該横座標の値が０となる部分から左右方向に広がりながら下方に傾斜する。このため、使用者の頭部には、最も風速の速い空気流Ｆ１は、当たらなくなる。
【０１０３】
この場合には、使用者の頭部には、空気流Ｆ２が当たることになるが、空気流Ｆ２は、空気流Ｆ１よりも風速が低いため、使用者に与える不快感を軽減することができる。なお、この場合においても室内の上方に向けて相当程度イオンを含む空気流を吹出すことができるため、室内にイオンを十分に供給できる。
【０１０４】
以上のように、本実施の形態に係るイオン発生機１は、比較例１，２と比較して、使用者に除菌等に十分なイオンを送りつつ、使用者に与える違和感や不快感を軽減することができる。
【０１０５】
図２５は、本実施の形態に係るイオン発生機の筐体を昇降させる場合における筐体と足との関係を示す図である。図２５を参照して、イオン発生機１の筐体２を昇降させる場合における足と筐体との関係を示す。
【０１０６】
図２５に示すように、イオン発生機１は相当程度の重量を有するため、イオン発生機１の筐体２を一人で昇降させる際に、踏ん張りが効くように土台部５を足で踏み込む場合がある。
【０１０７】
筐体２を上下方向に移動させたい場合には、まず、上述の固定部材６の締め付けを緩め固定部材６を支柱部４の挿通穴から抜き出す。続いて、左側面部２ａおよび右側面部２ｂ内に設けられたガイド突起部（不図示）を支柱部４の溝部４ａに沿ってスライド移動させる。
【０１０８】
次に、左側面部２ａおよび右側面部２ｂに設けられた貫通孔７を、所定の位置に設けられた溝部４ａの挿通孔に合わせる。続いて、固定部材６を挿通穴に挿通しこれを締め付けて筐体２を所定の高さ位置に固定する。
【０１０９】
なお、上記のガイド突起部は、貫通孔７の下方に設けられている。このため、溝部４ａの下端にガイド突起部が到達した場合に筐体２が最下位位置に位置することになる。このように筐体２の移動範囲が規制されることにより、本実施の形態に係るイオン発生機１は、筐体２が最下位位置に位置する場合であっても筐体２の底面部２ｃと足とが接触しないように構成されている。
【０１１０】
このため、足が筐体２の底面部２ｃと土台部５の上面とによって挟み込まれることを防止でき、昇降作業の安全性を確保することができる。
【０１１１】
なお、本実施の形態においては、筐体２の上下方向の移動範囲を規制する規制手段がガイド突起部と溝部とによって構成される場合を例示して説明したが、これに限定されず、ストッパー等の部材によって規制手段を構成してもよい。
【０１１２】
（実施の形態２）
図２６は、本実施の形態に係るイオン発生機の底面図である。図２６を参照して、本実施の形態に係るイオン発生機１Ａについて説明する。
【０１１３】
図２６に示すように、本実施の形態に係るイオン発生機１Ａは、実施の形態１と比較した場合に、吸込グリル１１Ａの構成が相違する。その他の構成については、ほぼ同様である。
【０１１４】
吸込グリル１１Ａは、吸込口１０に設置され、複数の開口部１２，１３を有する。筐体２内においては、送風機カバー３１の一部が吸込口１０の後方側に左右方向に亘って面するように配置されている。
【０１１５】
吸込グリル１１Ａのうち送風機カバー３１に面さない部分は、指先の侵入を防止するように形成された複数の開口部１２によって構成されている。すなわち、開口部１２の大きさが、指先よりも小さくなっている。
【０１１６】
一方、吸込グリル１１Ａのうち送風機カバー３１に面する部分は、指先が侵入可能となるように形成された開口部１３を含むように構成されている。開口部１３は、たとえば、左右方向の両端側のそれぞれに設けられていることが好ましい。なお、吸込グリル１１Ａのうち送風機カバー３１に面する部分のうち、開口部１３以外の部分は、指先の侵入を防止するように形成された開口部１２によって構成されている。
【０１１７】
吸込グリル１１Ａを取り外す際には、まず、吸込グリル１１Ａを筐体２に締結する締結部材を外す。次に、開口部１３に指先を挿入して指先に吸込グリル１１Ａの一部を引掛ける。続いて、指先に吸込グリル１１Ａを引掛けてこれを引っ張ることにより、吸込グリル１１Ａを吸込口１０から容易に取り外すことができる。このように吸込グリル１１Ａの取り外しに手間がかからないため、筐体２内の部品を容易に交換したり、清掃したりすることができる。この結果、部品交換、清掃等の作業性を大幅に向上させることができる。
【０１１８】
また、筐体２内において開口部１３に対向する部分には送風機カバー３１が設けられているため、指先が送風機３０の羽根に巻き込まれることを防止することができる。これにより安全性を確保することができる。
【０１１９】
このように本実施の形態に係るイオン発生機１Ａは、実施の形態１に係るイオン発生機１とほぼ同様の効果が得られるのに加えて、安全性を確保しつつ、吸込口に設置される吸込グリルの取り外しを容易に行なうことができ、清掃等の作業性を向上させることができるイオン発生機を提供することができる。
【０１２０】
なお、本実施の形態においては、イオン発生機１Ａの構成が吸込グリル１１Ａを除いて実施の形態１に係るイオン発生機１とほぼ同様である場合を例示して説明したが、これに限定されない。吹出口および吸込口が設けられた筐体と、筐体内に設けられ、吹出口と吸込口とを接続する送風経路と、送風経路内にイオンを発生させるイオン発生装置と、送風経路内に配置され、吸込口から吸込んだ空気を吹出口に送風する送風機と、吸込口の一部に面するように配置された送風機カバーと、吸込口に設置され、複数の開口部を有する吸込グリルとを備えたイオン発生装置であれば、本実施の形態に係る吸込グリル１１Ａの構成を適用することができる。
【０１２１】
（実施の形態３）
図２７は、本実施の形態に係るイオン発生機の右側面図である。図２７を参照して、本実施の形態に係るイオン発生機１Ｂについて説明する。
【０１２２】
図２７に示すように、本実施の形態に係るイオン発生機１Ｂは、実施の形態１に係るイオン発生機１と比較した場合に、土台部５の上面に踏込防止手段９０が設けられている点において相違する。その他の構成については、ほぼ同様である。
【０１２３】
踏込防止手段９０は、たとえば、人が踏み込んだ場合に違和感や不快感を与える突起部９１が設けられていることが好ましい。なお、踏込防止手段９０自体が突起状であってもよい。踏込防止手段９０は、射出成型等により土台部５と一体に構成されていてもよいし、別体で構成されていてもよい。
【０１２４】
この場合には、使用者がイオン発生機１Ｂの筐体２を一人で昇降させる際に、土台部５を踏み込むと、突起部９１（突起状の部分）に足裏が接触する。このため、使用者は、足裏に違和感を覚え、土台部５への踏み込みを回避して足を土台部５側から床面に移動させる。これにより、筐体２を最下位位置に下降させた場合であっても、筐体２と土台部５とによって足が挟まれることを防止することができる。この結果、本実施の形態に係るイオン発生機１Ｂは、昇降作業の安全性を確保することができる。
【０１２５】
なお、本実施の形態においては、イオン発生機１Ｂの構成が踏込防止手段９０の構成を除いて実施の形態１に係るイオン発生機１とほぼ同様である場合を例示して説明したが、これに限定されない。吹出口および吸込口が設けられた筐体と、筐体内に収容され、吹出口と吸込口とを接続する送風経路と、送風経路内にイオンを発生させるイオン発生装置と、送風経路内に配置され、吸込口から吸い込んだ空気を吹出口に送風する送風機と筐体を上下方向に移動可能に支持する脚部と、を備え、脚部が床面に設置される土台部を含む構成のイオン発生機であれば、本実施の形態に係る踏込防止手段の構成を適用することができる。
【０１２６】
以上のように、本実施の形態に係るイオン発生機１Ｂは、実施の形態１に係るイオン発生機１とほぼ同様の効果が得られるのに加えて、昇降作業時の安全性を確保することができる。
【０１２７】
（実施の形態４）
図２８から図３４は、本実施の形態に係る外付けルーバーの斜視図、正面図、背面図、上面図、底面図、左側面図、右側面図である。図２８から図３４を参照して、外付けルーバー６０Ａの形状について説明する。
【０１２８】
図２８から図３４に示すように、本実施の形態に係る外付けルーバー６０Ａは、実施の形態１に係る外付けルーバー６０と比較した場合に、連結部６７を備えていない点および第１風向調整部６０ａおよび第２風向調整部６０ｂに含まれる風向調整板部６１ｃおよび６１ｄの形状が相違する。
【０１２９】
風向調整板部６１ｃは、装着時において左右方向の幅が縦整流板２２ｂから縦整流板２２ｄに至るように構成されている。同様に、風向調整板部６１ｄは、装着時において左右方向の幅が縦整流板２２ｆから縦整流板２２ｄに至るように構成されている。
【０１３０】
このような構成にあっては、中央領域Ｒ２を左右方向に拡張することができる。これにより、本実施の形態に係る外付けルーバー６０Ａを具備するイオン発生機は、実施の形態１に係るイオン発生機１よりも使用者に違和感や不快感を与えない範囲を拡大することができる。
【０１３１】
以上、本発明の実施の形態について説明したが、今回開示された実施の形態はすべての点で例示であって制限的なものではない。本発明の範囲は特許請求の範囲によって示され、特許請求の範囲と均等の意味および範囲内でのすべての変更が含まれる。
【符号の説明】
【０１３２】
１，１Ａ，１Ｂ  イオン発生機、２  筐体、２ａ  左側面部、２ｂ  右側面部、２ｃ  底面部、３  脚部、４  支柱部、４ａ  溝部、５  土台部、６  係合突起部、７  貫通孔、８  蓋部、９  収容室、１０  吸込口、１１，１１Ａ  吸込グリル、１２，１３  開口部、１５  エアフィルタ、２０  吹出口、２１  ルーバー、２２  第１整流部、２２ａ，２２ｂ，２２ｃ，２２ｄ，２２ｅ，２２ｆ，２２ｇ  整流板、２３  第２整流部、２３ａ，２３ｂ，２３ｃ  整流板、２６  第１吹出口、２７  第２吹出口、２８  上側吹出口、２９  下側吹出口、３０  送風機、３１  送風機カバー、４０  送風経路、４１  第１部分、４２  第２部分、４５  導風板、４６  第１経路、４７  第２経路、５０，５０ａ，５０ｂ，５０ｃ，５０ｄ  イオン発生装置、５１，５２  イオン発生素子部、５１ａ  プラスイオン発生部、５１ｂ  マイナスイオン発生部、６０，６０Ａ  外付けルーバー、６０ａ  第１風向調整部、６０ｂ  第２風向調整部、６１ａ，６１ｂ，６１ｃ，６１ｄ  風向調整板部、６２ａ，６２ｂ  装着部、６３ａ，６３ｂ  開口部、６４ａ１，６５ａ１  係止部、６４ａ  左側側壁部、６４ｂ  右側側壁部、６５ａ  右側側壁部、６５ｂ  左側側壁部、６６ａ，６６ｂ  底面部、６６ａ１  切欠き部、６７  連結部、９０  踏込防止手段、９１  突起部。
【図１】
2016091645.tif 000003
【図２】
2016091645.tif 000004
【図３】
2016091645.tif 000005
【図４】
2016091645.tif 000006
【図５】
2016091645.tif 000007
【図６】
2016091645.tif 000008
【図７】
2016091645.tif 000009
【図８】
2016091645.tif 000010
【図９】
2016091645.tif 000011
【図１０】
2016091645.tif 000012
【図１１】
2016091645.tif 000013
【図１２】
2016091645.tif 000014
【図１３】
2016091645.tif 000015
【図１４】
2016091645.tif 000016
【図１５】
2016091645.tif 000017
【図１６】
2016091645.tif 000018
【図１７】
2016091645.tif 000019
【図１８】
2016091645.tif 000020
【図１９】
2016091645.tif 000021
【図２０】
2016091645.tif 000022
【図２１】
2016091645.tif 000023
【図２２】
2016091645.tif 000024
【図２３】
2016091645.tif 000025
【図２４】
2016091645.tif 000026
【図２５】
2016091645.tif 000027
【図２６】
2016091645.tif 000028
【図２７】
2016091645.tif 000029
【図２８】
2016091645.tif 000030
【図２９】
2016091645.tif 000031
【図３０】
2016091645.tif 000032
【図３１】
2016091645.tif 000033
【図３２】
2016091645.tif 000034
【図３３】
2016091645.tif 000035
【図３４】
2016091645.tif 000036